(57)【要約】      （修正有）【課題】本発明は、熱電素子の発熱により温められた温水を閉ループ構造で循環させて流入する空気を高温の湿っぽい空気に変換して、室内温度の低い環境でも効率良い除湿がなされることができ、空気が温められる過程で殺菌を通じての空気浄化機能を兼ねることができ、熱電素子の吸熱により高温の湿っぽい空気を水分が除去された低温の乾燥した空気に変換排出して室内温度上昇を防止してくれる外部温度を上昇させないで殺菌機能を含む除湿装置を提供する。【解決手段】熱電素子２００の発熱部２１０と接触した加熱タンク３００に内蔵された液体が加熱され、加熱された液体を加熱タンク３００と連結された循環ポンプ４００により空気加熱管５００を閉ループ構造で循環させる除湿装置であって、空気流入口１２６に流入する外部空気を除湿しやすい高温の湿っぽい空気に変換する。【選択図】図５
2018036045.tif 000002
【特許請求の範囲】
【請求項１】
外部空気（２０）を内部に流入させる空気流入口（１３０）と、前記空気流入口（１３０）と連結されて前記外部空気（２０）が内部に流入する通路の役割をする空気流入路（１２６）と、前記空気流入路（１２６）と連結されて前記外部空気（２０）が排出される通路の役割をする空気排出路（１２８）と、前記空気排出路（１２８）と連結されて前記外部空気（２０）を外部に排出させる空気排出口（１４０）が形成された本体（１００）と、
前記本体（１００）の内部で前記空気排出路（１２８）側に吸熱部（２２０）が位置し、前記吸熱部（２２０）の反対側に発熱部（２１０）が位置する熱電素子（２００）と、
前記発熱部（２１０）と当接するように配置されて熱の伝導を受けて内部に内蔵された液体（１０）を加熱する加熱タンク（３００）と、
前記加熱タンク（３００）と連結されて前記液体（１０）を循環させる循環ポンプ（４００）と、
前記空気流入路（１２６）上で前記空気流入口（１３０）側に位置して、一端は前記循環ポンプ（４００）と連結され、他端は前記加熱タンク（３００）と連結されて前記循環ポンプ（４００）を通じて前記液体（１０）が循環しながら前記外部空気（２０）を高温の湿っぽい空気（２１）に加熱する空気加熱管（５００）と、
前記吸熱部（２２０）と当接するように前記空気排出路（１２８）上に配置されて冷気の伝導を受けて前記高温の湿っぽい空気（２１）の熱を吸水して低温の乾燥した空気（２２）に変換し、前記高温の湿っぽい空気（２１）に含まれた水分が表面に水滴として結ぶ吸熱板（７００と、
前記吸熱板（７００の下部に設置されて前記水滴が落下して１個所に集まる水タンク（８００）と、を含む、外部温度を上昇させないで殺菌機能を含む除湿装置。
【請求項２】
前記加熱タンク（３００）、前記循環ポンプ（４００）、及び前記空気加熱管（５００）は、
前記循環ポンプ（４００）が前記加熱タンク（３００で吸入して吐出する液体（１０）は前記空気加熱管（５００）で前記外部空気（２０）と熱交換がなされて、前記空気加熱管（５００）を通過した前記液体（１０）はまた前記加熱タンク（３００）に入って循環される閉ループ構造をなす、請求項１に記載の外部温度を上昇させないで殺菌機能を含む除湿装置。
【請求項３】
前記空気加熱管（５００）は螺旋形または表面積を広げることができる形態に形成されて前記外部空気（２０）との接触面積を極大化する、請求項１に記載の外部温度を上昇させないで殺菌機能を含む除湿装置。
【請求項４】
前記本体（１００）は、
前面ケース（１１０）と後面ケース（１２０）とに分けられ、
前記後面ケース（１２０）には水平に突出形成された第１隔壁（１２２）と、垂直に突出形成された第２隔壁（１２３）と、前記第１隔壁（１２２）と離隔して水平に突出形成された第３隔壁（１２４）と、前記第２隔壁（１２３）と離隔して垂直に突出形成された第４隔壁（１２５）とを備え、かつ、
前記第１隔壁（１２２）と前記第３隔壁（１２４）との間に前記外部空気（２０）が流入する空気流入路（１２６）が形成され、前記第２隔壁（１２３）と前記第４隔壁（１２５）との間に前記高温の湿っぽい空気（２１）が通過する空気排出路（１２８）が形成される、請求項１に記載の外部温度を上昇させないで殺菌機能を含む除湿装置。
【請求項５】
前記加熱タンク（３００）の内部には複数の加熱ピン（３２０）が突出形成されて、前記加熱タンク（３００）の内部に位置した液体（１０と）の接触面積を極大化してくれる、請求項１に記載の外部温度を上昇させないで殺菌機能を含む除湿装置。
【請求項６】
前記空気流入路（１２６）上で前記空気加熱管（５００）より先の位置に前記空気流入口（１３０）と隣接するように設置されて、前記外部空気（２０）を前記空気加熱管（５００）側への流入を促進させる空気流入ファン（６００）を含む、請求項１に記載の外部温度を上昇させないで殺菌機能を含む除湿装置。
【請求項７】
前記第３隔壁（１２４）の左側端部には上方に傾斜するように形成されて、前記外部空気（２０）の流れを前記空気排出路（１２８）側に誘導する傾斜部（１２７）が形成される、請求項４に記載の外部温度を上昇させないで殺菌機能を含む除湿装置。
【請求項８】
前記第４隔壁（１２５）の下端部には半円形状に前記水滴の流れを前記水タンク（８００）側に誘導する湾曲部（１２９）が形成される、請求項４に記載の外部温度を上昇させないで殺菌機能を含む除湿装置。
【発明の詳細な説明】
【技術分野】
【０００１】
本発明は除湿機に関し、より詳しくは、熱電素子の発熱により温められた液体を閉ループ構造で循環させて外部から流入する空気を高温の湿っぽい空気に変換して室内温度の低い環境でも効率良い除湿がなされることができ、空気が温められる過程で殺菌を通じての空気浄化機能を兼ねることができ、熱電素子の吸熱により高温の湿っぽい空気を水分が除去された低温の乾燥した空気に変換排出して室内温度上昇を防止する外部温度を上昇させないで殺菌機能を含む除湿装置に関する。
【背景技術】
【０００２】
除湿機は空気中の水分を除湿するものであって、室内湿度を低める装置である。
【０００３】
一般に、除湿機は湿度の高い空気を冷たい冷却器を通過させながら結露現象により空気中の湿気を水に変更させる。しかしながら、このような方式は温度の高い時には優れる性能を発揮するが、温度の低い時には除湿力が急激に落ちて１８℃以下では除湿力が低くなって使用し難いという問題がある。
【０００４】
次に開発された除湿機は、吸水体が空気中の水分を吸水した後、吸水体をヒーターで加熱して水分を蒸発させ、気化された水分は熱交換器の結露を通じて水タンクに集める構造を取る。しかしながら、吸水体が空気中の水分を先に吸水した後、吸水体をヒーターで加熱して水分を蒸発させる方式であるので、ヒーター駆動のために多いエネルギーが消耗され、ヒーターで吸水体を加熱する過程で高温の乾燥した空気が排出されるので、除湿しながら室内温度が上昇するという問題がある。
【０００５】
このような外部温度を上昇させる方式は、暑い夏季に高温の空気によってユーザに不快感を誘発するという問題がある。
【先行技術文献】
【特許文献】
【０００６】
【特許文献１】韓国登録特許第１０−１６００７０９号公報
【特許文献２】韓国登録特許第１０−０８９８０６３号公報
【発明の概要】
【発明が解決しようとする課題】
【０００７】
本発明の目的は、熱電素子の発熱を用いて温水を閉ループ構造で循環させて流入する空気を除湿しやすい高温の湿っぽい空気に変換して冬季や室内温度の低い場合にも効率良く除湿できる、外部温度を上昇させないで殺菌機能を含む除湿装置を提供することにある。
【０００８】
延いては、本発明の目的は、熱電素子の吸熱を用いて高温の湿っぽい空気を水分が除去された低温の乾燥した空気に変換して排出することによって、室内温度上昇を防止する、外部温度を上昇させないで殺菌機能を含む除湿装置を提供することにある。
【０００９】
併せて、本発明の目的は、換気が難しい密閉された空間で除湿を行う場合にも低温の乾燥した空気を排出するので、ユーザが清々しさを感じることができるようにする、外部温度を上昇させないで殺菌機能を含む除湿装置を提供することにある。
【００１０】
一方、本発明の目的は、流入する空気を高温に温められるので、殺菌を通じての空気浄化機能を兼ねることができる、外部温度を上昇させないで殺菌機能を含む除湿装置を提供することにある。
【００１１】
また、本発明の目的は、熱電素子の発熱部により温められる温水を閉ループ構造で循環させながら流入する空気により温水の温度を下げて発熱部の許容温度以上の高温上昇による破損を防止する、外部温度を上昇させないで殺菌機能を含む除湿装置を提供することにある。
【００１２】
本発明の更に他の目的は、発熱部を通じて流入する空気を高温に変換させ、吸熱部を通じて高温の湿っぽい空気を低温の乾燥した空気に変化させることができるので、熱電素子の発熱部と吸熱部（冷却部）を同時に活用することができる、外部温度を上昇させないで殺菌機能を含む除湿装置を提供することにある。
【課題を解決するための手段】
【００１３】
本発明は、外部空気２０を内部に流入させる空気流入口１３０と、前記空気流入口１３０と連結されて前記外部空気２０が内部に流入する通路の役割をする空気流入路１２６と、前記空気流入路１２６と連結されて前記外部空気２０が排出される通路の役割をする空気排出路１２８と、前記空気排出路１２８と連結されて前記外部空気２０を外部に排出させる空気排出口１４０が形成された本体１００；前記本体１００の内部で前記空気排出路１２８側に吸熱部２２０が位置し、前記吸熱部２２０の反対側に発熱部２１０が位置する熱電素子２００；前記発熱部２１０と当接するように配置されて熱の伝導を受けて内部に内蔵された液体１０を加熱する加熱タンク３００；前記加熱タンク３００と連結されて前記液体１０を循環させる循環ポンプ４００；前記空気流入路１２６上で前記空気流入口１３０側に位置して、一端は前記循環ポンプ４００と連結され、他端は前記加熱タンク３００と連結されて前記循環ポンプ４００を通じて前記液体１０が循環しながら前記外部空気２０を高温の湿っぽい空気２１に変換する空気加熱管５００；前記吸熱部２２０と当接するように前記空気排出路１２８上に配置されて冷気の伝導を受けて前記高温の湿っぽい空気２１の熱を吸水して低温の乾燥した空気２２に変換し、前記高温の湿っぽい空気２１に含まれた水分が表面に水滴として結ぶ吸熱板７００；前記吸熱板７００の下部に設置されて前記水滴が落下して１個所に集まる水タンク８００；を含む。
【００１４】
併せて、本発明の前記加熱タンク３００、前記循環ポンプ４００、及び前記空気加熱管５００は、前記循環ポンプ４００が前記加熱タンク３００で吸入して吐出する液体１０は前記空気加熱管５００で前記外部空気２０と熱交換がなされて、前記空気加熱管５００を通過した前記液体１０はまた前記加熱タンク３００に入って循環される閉ループ構造をなす。
【００１５】
また、本発明の前記空気加熱管５００は螺旋形または表面積を広げることができる形態に形成されて前記外部空気２０との接触面積を極大化する。
【００１６】
延いては、本発明の前記本体１００は、前面ケース１１０と後面ケース１２０とに分けられ、前記後面ケース１２０には水平に突出形成された第１隔壁１２２と、垂直に突出形成された第２隔壁１２３と、前記第１隔壁１２２と離隔して水平に突出形成された第３隔壁１２４と、前記第２隔壁１２３と離隔して垂直に突出形成された第４隔壁１２５を備え、かつ、前記第１隔壁１２２と前記第３隔壁１２４との間に前記外部空気２０が流入する空気流入路１２６が形成され、前記第２隔壁１２３と前記第４隔壁１２５との間に前記高温の湿っぽい空気２１が通過する空気排出路１２８が形成される。
【００１７】
一方、本発明の前記加熱タンク３００の内部には複数の加熱ピン３２０が突出形成されて、前記加熱タンク３００の内部に位置した液体１０との接触面積を極大化してくれる。
【００１８】
また、本発明の前記空気流入路１２６上で前記空気加熱管５００より先の位置に前記空気流入口１３０と隣接するように設置されて、前記外部空気２０を前記空気加熱管５００側への流入を促進させる空気流入ファン６００を含む。
【００１９】
併せて、本発明の前記第３隔壁１２４の左側端部には上方に傾斜するように形成されて、前記外部空気２０の流れを前記空気排出路１２８側に誘導する傾斜部１２７が形成される。
【００２０】
延いては、本発明の前記第４隔壁１２５の下端部には半円形状に前記水滴の流れを前記水タンク８００側に誘導する湾曲部１２９が形成される。
【発明の効果】
【００２１】
本発明は、熱電素子２００の発熱部２１０と接触した加熱タンク３００内の液体１０が加熱され、加熱された液体１０を加熱タンク３００と連結された循環ポンプ４００により空気加熱管５００を閉ループ構造で循環させて、空気流入口１３０に流入する外部空気２０を除湿しやすい高温の湿っぽい空気２１に変換して冬季や室内温度の低い場合にも効率良く除湿できるので、季節に関わらず四季用に使用することができる効果がある。
【００２２】
延いては、本発明は高温の湿っぽい空気２１を熱電素子２００の吸熱部２２０と接触した吸熱板７００を経るようにして、高温の湿っぽい空気２１を水分が除去された低温の乾燥した空気２２に変換して空気排出口１４０を通じて排出することによって、除湿機を通じて排出される空気による室内温度の上昇を防止する効果がある。
【００２３】
併せて、本発明は換気が難しい密閉された空間で除湿機を作動させる場合にも空気排出口１４０を通じて水分が除去された低温の乾燥した空気２２を排出することによって、高温の乾燥した空気によるユーザの不快感を予防し、除湿機の周辺のユーザに清々しさ提供する効果がある。
【００２４】
一方、本発明は空気流入口１３０に流入する外部空気２０を空気加熱管５００を通じて高温に温めるので、殺菌を通じての空気浄化機能を兼ねることができる効果がある。
【００２５】
また、本発明は熱電素子２００の発熱部２１０と接触した加熱タンク３００の液体１０が閉ループ構造で循環ポンプ４００と空気加熱管５００を循環しながら、空気加熱管５００と接触する外部空気２０により熱交換が持続的に起きることによって、発熱部２１０が許容温度以上の高温上昇することを防止し、発熱部２１０の破損を予防することができ、持続的に吸熱部２２０で吸熱を円滑にする効果がある。
【図面の簡単な説明】
【００２６】
【図１】本発明の実施形態に係る外部温度を上昇させないで殺菌機能を含む除湿装置の構成要素のうち、電気的構成要素のブロック構成図である。
【図２】本発明の実施形態に係る外部温度を上昇させないで殺菌機能を含む除湿装置の正面斜視図である。
【図３】本発明の実施形態に係る外部温度を上昇させないで殺菌機能を含む除湿装置の背面斜視図である。
【図４】本発明の実施形態に係る外部温度を上昇させないで殺菌機能を含む除湿装置の分解斜視図である。
【図５】本発明の実施形態に係る外部温度を上昇させないで殺菌機能を含む除湿装置から本体１００の前面ケース１１０を除去して、後面ケース１２０の内部を示す正面図である。
【図６】図５の２等角透視図である。
【図７】図５で加熱タンク３００のカバー３１０を除去して、加熱タンク３００の内部を示す斜視図である。
【発明を実施するための形態】
【００２７】
以下、本発明の好ましい実施形態を添付した図面を参照して当該分野の通常の知識を有する者が容易に実施できるように説明する。
【００２８】
図１は、本発明の実施形態に係る外部温度を上昇させないで殺菌機能を含む除湿装置の構成要素のうち、電気的構成要素のブロック構成図である。
【００２９】
本発明の除湿機は、外部から供給を受ける交流電源を変換して除湿動作に必要な直流電源を供給し、例えばＳＭＰＳ（Ｓｗｉｔｃｈｅｄ−Ｍｏｄｅ  Ｐｏｗｅｒ  Ｓｕｐｐｌｙ）で構成できる電源部１６０、除湿機の周辺の外部空気の湿度を測定する湿度センサー１１１、熱電素子２００の動作を制御するための温度を測定する温度センサー１１３、除湿機の周辺の外部空気の汚染度を測定する空気汚染感知センサー１１２、電源部１６０を制御して電源をオン・オフし、臨界湿度設定値を変更するために設けられるボタン１１６、各種の情報を画面上に出力するディスプレイ１１５、アラーム状況を人に認知させるためのランプ１１４とスピーカー１１７、スマートフォンと近距離無線通信するために設けられ、例えば、ブルートゥース（登録商標）やＷｉ−Ｆｉモジュールで構成される通信モジュール１５１、発熱と吸熱を同時に発生させるための熱電素子２００、後述する高温の液体循環のための循環ポンプ４００、及び空気の流れを誘導するための空気流入ファン６００を含む電気的構成要素を備える。
【００３０】
そして、このような電気的構成要素はコントローラ１５０に連結され、コントローラ１５０を含む電気的構成要素を後述する水タンク８００を内蔵した本体１００の内部に取り付けてコントローラ１５０の制御によって除湿動作を遂行する。
【００３１】
コントローラ１５０は、電源部１６０から電源の供給を受けて、ボタン１１６により入力された臨界湿度設定値によって熱電素子２００の吸熱部２２０に取り付けられた温度センサー１１３を通じてのＰＩＤ制御を遂行する。
【００３２】
熱電素子２００は一つ以上に設けられることができ、コントローラ１５０により順方向電流が印加されて発熱と吸熱動作をするようになる。
【００３３】
空気流入ファン６００は、正方向の同一な風量で稼働される。空気流入ファン６００は除湿動作をしない時にも空気汚染感知センサー１１２を通じての空気の汚染度測定に従っ  て作動して空気浄化機能を遂行することができる。
【００３４】
ボタン１１６は、設定値の上下操作のためのボタン２つ、設定値の入力ボタン１つ、及び電源オン・オフのための１つのトグルスイッチが適用されるが、これに限定されるものではない。
【００３５】
ディスプレイ１１５は、設定除湿及び現在除湿量、スマートフォンアプリケーションとの連動動作状態（ＩｏＴ）を表示する。
【００３６】
スピーカー１１７は、スマートフォンとブルートゥース（登録商標）連結を通じて音楽鑑賞及び通話機能をすることができる。スピーカー１１７は、通話機能のためにマイクと共に具備できる。即ち、除湿機が設置された場所、例えば浴室にユーザがスマートフォンを持って行かなくても音楽鑑賞、コンテンツ使用、及び通話機能が可能である。
【００３７】
通信モジュール１５１は、コントローラ１５０にＰＣＢモジュール形態に備えられる。通信モジュール１５１を通じてスマートフォンのアプリケーションで除湿機を操作することができる。延いては、スマートフォンの天気アプリケーションと連動して湿度センサー１１１で湿度を測定し、臨界湿度設定値に従って除湿機を作動するようにすることができる。
【００３８】
図２は本発明の実施形態に係る外部温度を上昇させないで殺菌機能を含む除湿装置の正面斜視図、図３は本発明の実施形態に係る外部温度を上昇させないで殺菌機能を含む除湿装置の背面斜視図である。
【００３９】
図２は本体１００を正面方向から示した斜視図であり、図３は本体１００を背面方向から示した斜視図である。
【００４０】
本体１００は、上下長さ及び左右幅に比べて相対的に薄い厚さを備えて壁に掛けて使用することに良い。本体１００は、前面ケース１１０と後面ケース１２０とに分けられる。
【００４１】
前面ケース１１０は、前面板と、前面板の枠から後方に上面板、下面板、右側面板、及び左側面板が突出して開放されたボックス形状をなす。前面ケース１１０の後面には、後面ケース１２０が結合されて本体１００をなすようになる。
【００４２】
前面板には、湿度センサー１１１、空気汚染感知センサー１１２、ボタン１１６、ディスプレイ１１５、ランプ１１４、及びスピーカー１１７が正面から見えるように取り付けられる。したがって、本体１００を壁に掛けた状態で周辺の空気の湿度を正確に測定することができ、ユーザとのインターフェースを容易にする。
【００４３】
併せて、前面板の下部側には本体１００の内部に収容された水タンク８００の位置に合うように設置した透視窓１１８が設けられる。透視窓１１８を通じて水タンク８００に集まる除湿された水の水位を肉眼で確認することができる。
【００４４】
前面ケース１１０の右側面板には水タンク８００の設置高さより高い位置に空気流入口１３０が形成される。空気流入口１３０は、右側面板に本体１００の内部に外部空気２０が流入できるように打孔される。打孔形状は、複数の長い棒または孔で形成される。
【００４５】
併せて、前面ケース１１０の下部は一部が切欠されて水タンク８００を外部に引き出すことができる。
【００４６】
また、前面ケース１１０の上面板には本体１００の内部に流入した空気が除湿過程を経て外部に排出できるように空気排出口１４０が形成される。空気排出口１４０も本体１００の内部の空気が外部に排出できるように打孔される。打孔形状は、複数の長い棒または孔で形成される。
【００４７】
一方、後面ケース１２０の背面板には壁掛け溝１２１が貫通形成されている。壁掛け溝１２１を通じて除湿しようとする場所の壁に掛けておくことができる。ここで、壁掛け溝１２１は本発明の除湿機を壁に掛けておくためのものであるので、例えば輪のような多様な形態に変形して構成できるが、本発明を壁掛け用のみに限定するものではない。
【００４８】
一方、水タンク８００を備えた場合には、一定水位以上高まれば、全ての作動を中止し、ディスプレイ１１５またはスピーカー１１７を通じて水空け警告メッセージを与えるか、または水タンク８００無しで別途のドレーンを通じて直ちに排出することもできる。
【００４９】
併せて、水タンク８００を備えた場合には、左側または右側の下部に水タンク８００を把持して本体１００から取り出したりまた設置したりすることができるようにする取っ手８１０が形成される。
【００５０】
図４は、本発明の実施形態に係る外部温度を上昇させないで殺菌機能を含む除湿装置の分解斜視図である。図４は、前述した図３を分解した形態に示したものである。
【００５１】
本体１００は、前述したように、ボックス形状の前面ケース１１０と、前面ケース１１０の後面に結合される後面ケース１２０とに分けられる。前面ケース１１０と後面ケース１２０はねじ締結または係止溝と突起の噛み合う方式により結合される。
【００５２】
後面ケース１２０は、第１隔壁１２２、第２隔壁１２３、第３隔壁１２４、及び第４隔壁１２５に空間が区画される。
【００５３】
第１隔壁１２２は、後面ケース１２０の中央側に水平方向に形成されて前面ケース１１０が結合された時、前面ケース１１０の後面に密着するように突出する。
【００５４】
第２隔壁１２３は、後面ケース１２０の左側から垂直方向に形成されて突出する。第１隔壁１２２と第２隔壁１２３とは互いに連結されて‘Ｌ’形状をなす。第１隔壁１２２と第２隔壁により区画された空間で右側上部には電源部１６０がＰＣＢ形態にねじにより設置され、電源部１６０の下部にはコントローラ１５０がＰＣＢ形態にねじにより設置される。コントローラ１５０の下部には循環ポンプ４００がねじにより固定される。
【００５５】
第２隔壁１２３上には熱電素子２００が挟まれて固定される。熱電素子２００は第２隔壁１２３を中心に、右側には発熱部２１０が位置し、左側には吸熱部２２０が位置する。
【００５６】
発熱部２１０の右側には熱伝導性の高い材質で形成された加熱タンク３００が密着して固定される。吸熱部２２０の左側には吸熱板７００が密着して固定される。
【００５７】
第３隔壁１２４は、後述する空気流入ファン６００の高さだけ離隔して水平方向に形成される。第１隔壁１２２と第２隔壁１２３との間には外部の空気が流入する空気流入路１２６が形成される。空気流入路１２６で右側には外部の空気の流入を促進する空気流入ファン６００が設置される。そして、空気流入ファン６００の左側には螺旋形構造の空気加熱管５００が位置する。空気加熱管５００は、第３隔壁１２４を貫通して一端が加熱タンク３００と連結され、他端が循環ポンプ４００と連結される。併せて、循環ポンプ４００は加熱タンク３００と液体供給管３３０に連結される。
【００５８】
第４隔壁１２５は、後面ケース１２０の左側から垂直方向に形成される。第３隔壁１２４と第４隔壁１２５全て前面ケース１１０と後面ケース１２０が結合された時、前面ケース１１０の後面に密着するように突出する。
【００５９】
第２隔壁１２３と第４隔壁１２５との間には空気加熱管５００を通過した空気が排出される空気排出路１２８が形成される。空気排出路１２８上には熱電素子２００の吸熱部２２０と連結された吸熱板７００が位置する。吸熱板７００に空気が過ぎながら冷却がなされる。吸熱板７００は、空気との接触面積を広げるために、複数の吸熱ピン７１０が突出形成される。吸熱板７００は、熱伝導率の高い銅、アルミニウムなどで形成される。
【００６０】
一方、第４隔壁１２５の下部には水タンク８００が位置する。水タンク８００の上部には水流入孔８０２が貫通形成される。水流入孔８０２は、空気排出路１２８の位置と対応するように形成される。
【００６１】
併せて、第４隔壁１２５の下部には吸熱板７００により生成される水滴が水タンク８００の水流入孔８０２に向けて落ちるように誘導する湾曲部１２９が形成される。
【００６２】
熱電素子２００は外部空気との接触を遮断して、内部結露が防止できるように密閉される。熱電素子２００は、熱損失を最小化する役割をし、かび発生を防止することができる。
【００６３】
図５は本発明の実施形態に係る外部温度を上昇させないで殺菌機能を含む除湿装置から本体１００の前面ケース１１０を除去して後面ケース１２０の内部を示す正面図であり、図６は図５の２等角透視図である。
【００６４】
図５は、加熱タンク３００、循環ポンプ４００、空気加熱管５００を閉ループ構造で循環する液体１０と、外部空気２０が空気加熱管５００を通過しながら高温の湿っぽい空気２１に変換され、高温の湿っぽい空気２１が吸熱板７００を経ながら低温の乾燥した空気２２に変換されることを共に図示した。
【００６５】
加熱タンク３００には液体１０が内蔵される。この際、液体１０は熱を永らく保存することができる素材であれば良く、水を使用しても充分である。
【００６６】
加熱タンク３００は、熱電素子２００の発熱部２１０と密着して熱の伝導を受ける。加熱タンク３００の内部の液体１０は６０〜９０度に加熱するようになる。加熱タンク３００は、上下部に加熱された液体が引入するための流入口と排出口が形成される。
【００６７】
循環ポンプ４００は、加熱された液体を吸入する吸入口と排出する排出口が形成されており、吸入口は加熱タンク３００と液体供給管３３０を通じて連結される。液体供給管３３０の外周縁は全長に亘って断熱材で覆いかぶせている。断熱材を通じて加熱された液体１０が冷えることを防止してくれる。
【００６８】
併せて、循環ポンプ４００の排出口は螺旋形の形態に形成された空気加熱管５００が連結される。空気加熱管５００は循環ポンプ４００と連結され、他端は加熱タンク３００の流入口と連結される（図面とは異なり、前記循環ポンプ４００の位置が空気加熱管５００と加熱タンク３００との間に位置しても同一な機能を遂行する）。
【００６９】
この際、加熱タンク３００に内蔵された液体１０は、液体供給管３３０、循環ポンプ４００、及び空気加熱管５００を続けて循環する閉ループ構造をなすようになる。即ち、発熱部２１０により加熱された液体１０は加熱タンク３００−液体供給管３３０−循環ポンプ４００−空気加熱管５００−加熱タンク３００の順に続けて循環するようになる。この際、循環ポンプ４００の位置が空気加熱管５００と加熱タンク３００との間に位置すれば、発熱部２１０により加熱された液体１０は加熱タンク３００−液体供給管３３０−空気加熱管５００−循環ポンプ４００−加熱タンク３００の順に続けて循環するようになる（今後、循環ポンプ４００−空気加熱管５００として記載することは、空気加熱管５００−循環ポンプ４００の順序を含むものとする）。
【００７０】
言い換えると、循環ポンプ４００が加熱タンク３００で液体１０を吸入して空気加熱管５００に送ってくれて、空気加熱管５００を通過した液体１０は空気加熱管５００を加熱するようになる。空気加熱管５００を通過した液体１０はまた加熱タンク３００に入って続けて循環される閉ループ構造をなすようになる。この過程で、液体１０により加熱された空気加熱管５００は外部空気２０と接触して外部空気２０を高温の湿っぽい空気２１に変換してくれる。空気加熱管５００は、外部空気２０と接触しながら熱交換がなされるようになる。これによって、空気加熱管５００を経る液体１０の温度が低くなるようになり、温度が低くなった液体１０が加熱タンク３００にまた入るようになる。
【００７１】
これによって、熱電素子２００の発熱部２１０を冷却してくれる効果が発生するようになる。空気加熱管５００と接触する外部空気２０により熱交換が持続的に起こることによって、発熱部２１０が許容温度以上の高温に上昇することを防止してくれる。それによって、発熱部２１０の破損を予防し、持続的に吸熱部２２０で吸熱を円滑にするようにする。
【００７２】
空気加熱管５００は、前述したように、空気流入ファン６００の左側に位置するものであって、空気流入ファン６００により流入する外部空気２０との接触面積を最大に広げるために螺旋形に形成される。この際、空気加熱管５００は外部空気２０との接触面積を最大に広げることができれば、ジグザグ、一つの線に繋がり、内側から外側方向に徐々に大きくなる円形、三角形、または多角形などの表面積を広げる他の形態に形成されることができ、熱伝導度の高いアルミニウムヒートシンクを重ね当てることもできる。
【００７３】
このように、閉ループ構造で加熱された液体が続けて循環しながら、空気加熱管５００により外部から流入する外部空気２０を高温の湿っぽい空気２１に変換してくれる。空気加熱管５００は、熱伝導率の高い銅、アルミニウムなどで形成される。
【００７４】
空気加熱管５００を通じて外部空気２０を除湿しやすい高温の湿っぽい空気２１に変化してくれる。従来の除湿機は冬季や室内温度が１８度以下に低い場合、効率良く除湿ができないことに反して、本発明の除湿機は外部空気２０を除湿しやすい高温の湿っぽい空気２１に変換して除湿するので、季節（または、外部温度）に関わらず、四季用に使用することができる。
【００７５】
併せて、空気加熱管５００を通過する外部空気２０は高温に温められるので、殺菌を通じての空気浄化作用がなされる。
【００７６】
一方、第１隔壁１２２と第３隔壁１２４で形成された空気流入路１２６は、右側に前面ケース１１０が後面ケース１２０に結合された時、空気流入口１３０が位置し、左側には第１隔壁１２２と第３隔壁１２４が開放されて高温の湿っぽい空気２１が空気排出路１２８に移動することができる。
【００７７】
空気流入ファン６００が回転している状態であるので、空気加熱管５００を通過した高温の湿っぽい空気２１が空気排出路１２８に移動するようになる。この際、第３隔壁１２４の左側端部には高温の湿っぽい空気２１を空気排出路１２８方向に円滑に移動するようにするために、上方に傾斜するように傾斜部１２７が形成される。傾斜部１２７を通じて高温の湿っぽい空気２１は空気排出路１２８に向かって方向が転換されるようになる。
【００７８】
高温の湿っぽい空気２１は空気排出路１２８上に配置された吸熱板７００と接触するようになる。吸熱板７００は、熱電素子２００の吸熱部２２０と熱伝導が容易であるように密着したものであって、吸熱部２２０により冷たい状態を維持するようになる。高温の湿っぽい空気２１が吸熱板７００と吸熱板７００に形成された複数の吸熱ピン７１０と接触しながら温度差によって吸熱板７００及び吸熱ピン７１０に結露が発生する。結露は、水滴３０になって自重により落下するようになる。
【００７９】
一方、吸熱板７００の内部には温度センサー１１３が引入される。この際、温度センサー１１３は吸熱板７００を経る高温の湿っぽい空気２１の流れに影響がないように吸熱板７００の内部に内蔵される。
【００８０】
温度センサー１１３は、吸熱板７００と接触して吸熱板７００の温度を測定する。温度センサー１１３は、温度測定値に基づいてコントローラ１５０が熱電素子２００をＰＩＤ制御して吸熱板７００及び吸熱ピン７１０の温度を制御するようにする。これを通じて吸熱板７００及び吸熱ピン７１０に結露が容易に発生できる条件を持続的に作ってくれる。
【００８１】
この際、第４隔壁１２５の下部に形成された湾曲部１２９は半円形状を取るので、水滴３０は湾曲部１２９に沿って移動しながら空気排出路１２８の下部に位置した水タンクの水流入孔８０２に落ちるようになる。前記湾曲部１２９により水滴が落ちる騷音を最小にすることができる。
【００８２】
一方、吸熱板７００を経た高温の湿っぽい空気２１は、除湿と同時に３０度内外に温度が低くなる。即ち、吸熱板７００を経た高温の湿っぽい空気２１は低温の乾燥した空気２２となる。
【００８３】
低温の乾燥した空気２２は空気排出口１４０を通じて外部に排出される。即ち、低温の乾燥した空気２２は後面ケース１２０に前面ケース１１０が結合された時、空気排出口１４０により外部に排出される。
【００８４】
除湿機から低温の乾燥した空気２２が排出されるので、室内温度の上昇を防止するようになり、低温の乾燥した空気２２は除湿機の周辺のユーザに気持ちがいい形態に排出されるので、除湿機から排出される空気によるユーザの不快感を顕著に減らしてくれる。
【００８５】
一方、水タンク８００を備えた場合には、一定水位以上高まれば、全ての作動を中止し、前述したように、水空け警告メッセージを与えるか、または水タンク８００無しでドレーンを通じて直ちに排出できるようにすることもできる。
【００８６】
図７は、図５で加熱タンク３００のカバー３１０を除去して、加熱タンク３００の内部を示す斜視図である。
【００８７】
図７は、図５で加熱タンク３００のカバー３１０を制御して内部形態を示したものである。
【００８８】
加熱タンク３００は、内部に液体１０が保管できる空間が形成され、カバー３１０により密閉される。加熱タンク３００は、内部に複数の板形状の加熱ピン３２０が内蔵される。加熱ピン３２０は熱電素子２００の発熱部２１０と連結されて熱の伝導を受ける。
【００８９】
加熱ピン３２０により加熱タンク３００の内部に保管された液体との接触面積を極大化するので、液体１０を効率良く加熱することができる。併せて、加熱ピン３２０は加熱タンク３００と共に熱電素子２００の発熱部２１０と接触することによって、発熱部２１０を効果的に冷却することができる。
【符号の説明】
【００９０】
１０    液体
２０    外部空気
２１    高温の湿っぽい空気
２２    低温の乾燥した空気
３０    水滴
４０    水
１００    本体
１１０    前面ケース
１１１    湿度センサー
１１２    空気汚染感知センサー
１１３    温度センサー
１１４    ランプ
１１５    ディスプレイ
１１６    ボタン
１１７    スピーカー
１１８    透視窓
１２０    後面ケース
１２１    壁掛け溝
１２２    第１隔壁
１２３    第２隔壁
１２４    第３隔壁
１２５    第４隔壁
１２６    空気流入路
１２７    傾斜部
１２８    空気排出路
１２９    湾曲部
１３０    空気流入口
１４０    空気排出口
１５０    コントローラ
１５１    通信モジュール
１６０    電源部
２００    熱電素子
２１０    発熱部
２２０    吸熱部
３００    加熱タンク
３１０    カバー
３２０    加熱ピン
３３０    液体供給管
４００    循環ポンプ
５００    空気加熱管
６００    空気流入ファン
７００    吸熱板
７１０    吸熱ピン
８００    水タンク
８０２    水流入孔
８１０    取っ手
【図１】
2018036045.tif 000003
【図２】
2018036045.tif 000004
【図３】
2018036045.tif 000005
【図４】
2018036045.tif 000006
【図５】
2018036045.tif 000007
【図６】
2018036045.tif 000008
【図７】
2018036045.tif 000009